(57)【要約】【課題】作り手の技量によらずに美しく手軽にポプリケースを作り上げること。【解決手段】ポプリケース（１）は、ポプリが入れられる中空の発泡スチロール球（３）と、発泡スチロール球の外面に沿ってベルベットリボン（１２）、レースリボン（１３）、ラベンダーの茎（１１）が編み込まれた装飾用のカバー（２）とを備えている。このポプリケースは、発泡スチロール球を胴体として、発泡スチロール球がカバーによって覆われることで作られる。【選択図】図１
2015030498.tif 000002
【特許請求の範囲】
【請求項１】
ポプリが入れられる型材と、
前記型材の外面に沿ってリボンテープが編み込まれた装飾用のカバーとを備え、
前記型材が前記カバーで覆われることを特徴とするポプリケース。
【請求項２】
前記カバーは、前記型材の外面に沿って配置された複数の草花の茎と前記複数のリボンテープを編み込むことで形成されることを特徴とする請求項１に記載のポプリケース。
【請求項３】
前記型材は、２分割された分割型材を組み合わせて形成されることを特徴とする請求項１又は請求項２に記載のポプリケース。
【請求項４】
前記型材は、半球形の前記分割型材を組み合わせて球形に形成されることを特徴とする請求項３に記載のポプリケース。
【請求項５】
球形の前記型材を載置可能に支持するプレート部材を備えたことを特徴とする請求項４に記載のポプリケース。
【請求項６】
ポプリが入れられる型材の外面に沿うようにリボンテープを編み込むことで装飾用のカバーを作るステップを有し、
前記型材を前記カバーで覆うことを特徴とするポプリケースの製造方法。
【請求項７】
前記カバーを作るステップにおいて、前記型材の外面に沿って配置された複数の草花の茎と前記複数のリボンテープを編み込むことで前記カバーを作ることを特徴とする請求項６に記載のポプリケースの製造方法。
【請求項８】
２分割された分割型材を組み合わせて前記型材を形成するステップを有することを特徴とする請求項６又は請求項７に記載のポプリケースの製造方法。
【請求項９】
前記型材を形成するステップにおいて、半球形の前記分割型材を組み合わせて球形の前記型材を形成することを特徴とする請求項８に記載のポプリケースの製造方法。
【請求項１０】
球形の前記型材を載置可能に支持するプレート部材を前記型材に取り付けるステップを有することを特徴とする請求項９に記載のポプリケースの製造方法。
【発明の詳細な説明】
【技術分野】
【０００１】
本発明は、ラベンダー等の香りが長続きする草花にリボンテープを編み込んで作られたポプリケース及びその製造方法に関する。
【背景技術】
【０００２】
ポプリは、草花や香草を乾燥させて作られており、ポプリケースに入れて室内等でインテリアとして飾られている。最近では、装飾性の高いポプリケースを手作りすることも親しまれている。ポプリケースのように、手軽に作ることができる装飾性の高い手芸品として、ラベンダースティックと呼ばれるものが知れている（特許文献１参照）。特許文献１に記載のラベンダースティックは、数本のラベンダーの茎の先端にポプリの詰まった香り袋を取り付けたものであり、香り袋の外面を覆うようにラベンダーの茎とリボンテープを編み込むことで作られる。
【先行技術文献】
【特許文献】
【０００３】
【特許文献１】特開２００６−１０３１７４号公報
【発明の概要】
【発明が解決しようとする課題】
【０００４】
しかしながら、特許文献１に記載のラベンダースティックを作る際には、形状が不安定な香り袋の外面に沿ってリボンテープを編み込むため、リボンテープを編み込む際の力加減が難しい。このため、リボンテープの力加減によって完成品の形状が歪んだり、リボンテープの間に隙間が生じたりして、作り手によって出来栄えに差が生じ易いという問題があった。
【０００５】
本発明はかかる点に鑑みてなされたものであり、作り手の技量によらずに美しく手軽に作り上げることができるポプリケース及びポプリケースの製造方法を提供することを目的とする。
【課題を解決するための手段】
【０００６】
本発明のポプリケースは、ポプリが入れられる型材と、前記型材の外面に沿ってリボンテープが編み込まれた装飾用のカバーとを備え、前記型材が前記カバーで覆われることを特徴とする。
【０００７】
本発明のポプリケースの製造方法は、ポプリが入れられる型材の外面に沿うようにリボンテープを編み込むことで装飾用のカバーを作るステップを有し、前記型材を前記カバーで覆うことを特徴とする。
【０００８】
これらの構成によれば、形状が安定した型材に沿ってリボンテープが編み込まれるため、リボンテープを編み込む際の絶妙な力加減が不要である。よって、リボンテープの力加減によってポプリケースの形状が歪むことがなく、リボンテープに隙間が生じ難くなり、作り手によって出来栄えが左右されることがない。また、型材がそのままポプリケースの胴体になるため、胴体とは別に型材を設ける必要がなく部材点数を最小限に抑えることができる。
【０００９】
また本発明の上記ポプリケースにおいて、前記カバーは、前記型材の外面に沿って配置された複数の草花の茎と前記複数のリボンテープを編み込むことで形成される。
【００１０】
本発明の上記ポプリケースの製造方法において、前記カバーを作るステップにおいて、前記型材の外面に沿って配置された複数の草花の茎と前記複数のリボンテープを編み込むことで前記カバーが作られる。
【００１１】
これらの構成によれば、ポプリケースの装飾性を高めることができる。また、草花の茎として香りが長続きする素材を使用することでポプリケースの芳香性を高めることができる。
【００１２】
また本発明の上記ポプリケースにおいて、前記型材は、２分割された分割型材を組み合わせて形成される。
【００１３】
本発明の上記ポプリケースの製造方法において、２分割された分割型材を組み合わせて前記型材を形成するステップを有している。
【００１４】
これらの構成によれば、分割型材を組み合わせて、ポプリを収容可能な中空形状の型材を作ることができる。
【００１５】
また本発明の上記ポプリケースにおいて、前記型材は、半球形の前記分割型材を組み合わせて球形に形成される。
【００１６】
本発明の上記ポプリケースの製造方法において、前記型材を形成するステップにおいて、半球形の前記分割型材を組み合わせて球形の前記型材が形成される。
【００１７】
これらの構成によれば、手軽に見た目も美しい球形のポプリケースを作ることができる。
【００１８】
また本発明の上記ポプリケースにおいて、球形の前記型材を載置可能に支持するプレート部材を備えている。
【００１９】
本発明の上記ポプリケースの製造方法において、球形の前記型材を載置可能に支持するプレート部材を前記型材に取り付けるステップを有している。
【００２０】
これらの構成によれば、球形のポプリケースを安定して載置させることができる。
【発明の効果】
【００２１】
本発明によれば、型材の外面に沿うようにリボンテープを編み込んで装飾用のカバーを作ることで、作り手の技量によらずにポプリケースを美しく手軽に作り上げることができる。
【図面の簡単な説明】
【００２２】
【図１】第１の実施の形態に係るポプリケースの斜視図である。
【図２】第１の実施の形態に係る型材の形成作業の説明図である。
【図３】第１の実施の形態に係るラベンダーの茎の準備作業の説明図である。
【図４】第１の実施の形態に係るリボンテープの編み作業の説明図である。
【図５】第１の実施の形態に係るポプリケースの仕上げ作業の説明図である。
【図６】第２の実施の形態に係るポプリケースの斜視図である。
【図７】第２の実施の形態に係る型材の説明図である。
【図８】第２の実施の形態に係るリボンテープの編み作業を示す説明図である。
【図９】第２の実施の形態に係るポプリケースの仕上げ作業の説明図である。
【発明を実施するための形態】
【００２３】
以下、添付図面を参照して第１の実施の形態に係るポプリケースついて説明する。図１は、第１の実施の形態に係るポプリケースの斜視図である。なお、以下の説明では、リボンテープとしてベルベットリボンとレースリボンを使用し、草花の茎としてラベンダーの茎を使用した一例を示すが、この例に限定されるものではない。
【００２４】
図１に示すように、第１の実施の形態に係るポプリケース１は、２種類のリボンテープを編み込んだカバー２で球形の型材としての発泡スチロール球３（図４参照）の外面を覆うことで作られている。カバー２は、球面に縦向きに並べられた複数のラベンダーの茎１１に対してベルベットリボン１２とレースリボン１３とを周方向に編み込むことで作られている。ベルベットリボン１２とレースリボン１３は下から上に向かって交互となり、さらにベルベットリボン１２とレースリボン１３からラベンダーの茎１１が１列ずれて露出されるように編み込まれている。このラベンダーの茎１１がアクセントとなってポプリケース１の装飾性が高められている。
【００２５】
ポプリケース１内には、ラベンダー等の香りの強い花や茎を細かくして混ぜたポプリが入れられており、ポプリケース１から香りが広がることでリラックス効果が得られるだけでなく、殺菌、虫除け、消臭等の様々な効果を得ることが可能になっている。また、ポプリケース１の頭頂部にはフックリボン１４が設けられており、室内のフックに吊り下げたり、鞄等に取り付けて携帯することが可能になっている。また、ポプリケース１の上部ではラベンダーの茎１１が束ねられており、ラベンダーの茎１１の束を隠すように仕上げリボン１５が蝶々結びされ、仕上げリボン１５にチャーム１６が取り付けられている。
【００２６】
以下、図２から図５を参照して、第１の実施の形態に係るポプリケースの製造方法について説明する。図２は、第１の実施の形態に係る型材の形成作業の説明図である。図３は、第１の実施の形態に係るラベンダーの茎の準備作業の説明図である。図４は、第１の実施の形態に係るリボンテープの編み作業の説明図である。図５は、第１の実施の形態に係るポプリケースの仕上げ作業の説明図である。
【００２７】
図２Ａに示すように、分割型材として発泡スチロール製の中空の半球材２１を２つ用意する。各半球材２１の外周縁をカッター等で切り込んで、各半球材２１の外周縁に矩形状の一対の切り欠き２２を形成する。一対の切り欠き２２は、切り欠き２２の中心を挟んで対向する位置に形成され、後工程におけるポプリの投入口２５（図４Ｄ参照）や作業棒３１の差し込み口（不図示）として使用される。なお、本実施の形態では、分割型材として発泡スチロール製の半球材２１を例示したが、どのような材質で形成されてもよい。
【００２８】
次に、図２Ｂに示すように、竹串３２により各半球材２１に無数の細かい穴を空けて、ポプリの香りの吹き出し口２３を形成する。この場合、半球材２１の中央に穴を空け、その穴を中心に放射状に無数の穴を空ける。これにより、半球材２１に対して多くの吹き出し口２３を設けることができ、ポプリの香りを外部に放出し易くしている。なお、この半球材２１に対する切り欠き２２及び吹き出し口２３の作業を実施している間に、ラベンダーの茎１１をお湯に浸して柔らかくしておくことが好ましい。
【００２９】
次に、図３Ａに示すように、柔らかくなったラベンダーの茎１１を作業棒３１に巻きつけて、作業棒３１の先端から数センチのところからラベンダーの茎１１を折り返す。この場合、作業棒３１からラベンダーの茎１１が抜けないように、作業棒３１にラベンダーの茎１１の束が凧糸３４で縛りつけられている。そして、凧糸３４で縛られた箇所を支点として竹串３２（図２Ｂ参照）等を使って手前に折り返す。次に、図３Ｂに示すように、作業台３６に作業棒３１を垂直に差し込んで作業棒３１を固定させる。そして、隣り合うラベンダーの茎１１を２本で１組にして、隣り合うラベンダーの茎１１の先端にフローラルテープを巻き付ける。
【００３０】
次に、図３Ｃに示すように、作業棒３１の先端側で２つの半球状の半球材２１を組み合わせて発泡スチロール球３を形成する。この場合、作業棒３１の先端側に発泡スチロール球３の差し込み口が差し込まれており、ポプリの投入口２５（図４Ｄ参照）が上側に向けられる。そして、ラベンダーの茎１１を発泡スチロール球３の上方で束ねて、発泡スチロール球３の外面形状に沿うようにラベンダーの茎１１に型を付ける。このとき、ラベンダーの茎１１の結束部分を除いて、お湯の染み込んだ紙材を巻きつけて保湿することが好ましい。これにより、結束部分を乾燥させて強く型を付けることで、ラベンダーの茎１１に球形に沿った型を付け易くしている。
【００３１】
次に、図４Ａに示すように、発泡スチロール球３によってラベンダーの茎１１に十分に型が付けられると、作業棒３１からラベンダーの茎１１の結束と発泡スチロール球３を外し、ベルベットリボン１２、レースリボン１３を凧糸３４に結び付ける。この場合、ベルベットリボン１２の一端側がループ状に結ばれてフックリボン１４とされ、フックリボン１４のループの結び目にレースリボン１３が結び付けられる。フックリボン１４は、ベルベットリボン１２及びレースリボン１３の編み込み作業の邪魔にならない位置に仮止めされる。
【００３２】
次に、図４Ｂに示すように、２本１組のラベンダーの茎１１の上側と下側を交互に通すようにベルベットリボン１２が編み込まれる。この場合、ラベンダーの茎１１が放射状に広がっており、この放射状に広がったラベンダーの茎１１に対してベルベットリボン１２が周方向に編み込まれる。続いて、図４Ｃに示すように、ベルベットリボン１２の外側にレースリボン１３が周方向に編み込まれる。この場合、ベルベットリボン１２がラベンダーの茎１１の上側を通る場合には、レースリボン１３がそのラベンダーの茎１１の下側を通るように、ベルベットリボン１２とは逆の網目となるように編み込まれる。
【００３３】
次に、図４Ｄに示すように、ベルベットリボン１２及びレースリボン１３が交互に数周編み込まれると、作業棒３１の上部に再び発泡スチロール球３を取り付けて、発泡スチロール球３の投入口２５からポプリを投入する。そして、発泡スチロール球３の外面に沿ってベルベットリボン１２とレースリボン１３の編み込みが交互に繰り返されて、発泡スチロール球３の外面にカバー２が形成される。ベルベットリボン１２とレースリボン１３が下から上に向かって交互となり、ラベンダーの茎１１が部分的に露出されて装飾性が高められている。
【００３４】
このとき、発泡スチロール球３を型材として、発泡スチロール球３の外面に沿ってベルベットリボン１２とレースリボン１３が編み込まれるため、球状のカバー２であっても型崩れやテープの隙間が生じ難くなっている。また、ベルベットリボン１２とレースリボン１３に、香りが長続きするラベンダーの茎１１を編み込んだことで、ポプリケース１の芳香性が高められている。
【００３５】
次に、図５Ａに示すように、ラベンダーの茎１１の結束部分に仕上げリボン１５を蝶々結びし、仕上げリボン１５の結び目からはみ出したラベンダーの茎１１を切断する。図５Ｂに示すように、球形のポプリケース１の底部から作業棒３１を抜き、ポプリケース１の底部に空いた穴３７にプレート３８付きの棒３９を差し込む。このプレート３８により、球形のポプリケース１の底部に平坦な載置面が形成され、球形のポプリケース１を安定して載置させることができる。そして、最後に仕上げリボン１５にチャーム１６を取り付けることで、図１に示すようなポプリケース１が完成する。
【００３６】
以上のように、第１の実施の形態によれば、形状が安定した発泡スチロール球３に沿ってベルベットリボン１２とレースリボン１３が編み込まれるため、ベルベットリボン１２及びレースリボン１３を編み込む際の絶妙な力加減が不要である。よって、ベルベットリボン１２とレースリボン１３の力加減によってポプリケース１の形状が歪むことがなく、ベルベットリボン１２とレースリボン１３とに隙間が生じ難くなり、作り手によって出来栄えが左右されることがない。また、発泡スチロール球３がそのままポプリケース１の胴体になるため、胴体とは別に型材を設ける必要がない。よって、部材点数を最小限に抑えることができ、発泡スチロール球３がゴミになることもない。
【００３７】
続いて、添付図面を参照して第２の実施の形態に係るポプリケースついて説明する。図６は、第２の実施の形態に係るポプリケースの斜視図である。第２の実施の形態に係るポプリケースは、主に筒状の型材を使用する点について、第１の実施の形態に係るポプリケースと相違する。なお、以下の説明では、リボンテープとしてベルベットリボンを使用し、草花の茎としてラベンダーの茎を使用した一例を示すが、この例に限定されるものではない。
【００３８】
図６に示すように、第２の実施の形態に係るポプリケース４１は、２種類のリボンテープを編み込んだカバー４２で筒状の型材として紙管４３（図７参照）の外面を覆うことで作られている。カバー４２は、外周面に縦向きに並べられた複数のラベンダーの茎５１に対して、濃淡の異なる２色のベルベットリボン５２を周方向に編み込むことで作られている。ベルベットリボン５２は下から上に向かって交互となり、ベルベットリボン５２からラベンダーの茎５１が１列ずれて露出されるように編み込まれている。このラベンダーの茎５１がアクセントとなってポプリケース４１の装飾性が高められている。
【００３９】
ポプリケース４１の中には、ポプリの詰まったサシェと呼ばれる香り袋５４（図９参照）が入れられており、ポプリケース４１から香りが広がることでリラックス効果が得られるだけでなく、殺菌、虫除け、消臭等の様々な効果を得ることが可能になっている。また、ポプリケース４１には仕上げリボン５５が蝶々結びされ、仕上げリボン５５にチャーム５６が取り付けられている。
【００４０】
以下、図７から図９を参照して、第２の実施の形態に係るポプリケースの製造方法について説明する。図７は、第２の実施の形態に係る型材を示す説明図である。図８は、第２の実施の形態に係るリボンテープの編み作業の説明図である。図９は、第２の実施の形態に係るポプリケースの仕上げ作業の説明図である。
【００４１】
図７に示すように、まず筒状の紙管４３を用意し、紙管４３の内面と紙管４３の上下の両縁にコットン生地５７を貼着する。これにより、紙管４３の外面を除いて、紙管４３がコットン生地５７によってカバーリングされる。また、紙管４３の外面に上下の両端を結び１本のライン５９を付けて、リボンテープの編み込み開始位置とする。なお、本実施の形態では、型材として紙管４３を例示したが、中空筒状に形成されていれば、どのような材質で形成されていてもよい。
【００４２】
次に、図８Ａに示すように、ライン５９に沿って接着剤を塗り、ライン５９上に濃淡の異なる２色のベルベットリボン５２を交互に貼り付ける。これにより、紙管４３の外面の編み込み開始位置に、紙管４３の延在方向に沿って２色のベルベットリボン５２が交互に並べられる。次に、図８Ｂに示すように、ラベンダーの茎５１を２本１組にして２色のベルベットリボン５２を交互にくぐらせる。この場合、一方のベルベットリボン５２がラベンダーの茎５１の下側に通される場合には、隣りのベルベットリボン５２がラベンダーの茎５１の上側に通される。これを繰り返すことで、ラベンダーの茎５１に２色のベルベットリボン５２が周方向に編み込まれる。
【００４３】
次に、図８Ｃに示すように、ベルベットリボン５２が数回編み込まれると、紙管４３の表面に接着剤を塗ってベルベットリボン５２を貼り付ける。この場合、ベルベットリボン５２の隙間が生じないように隙間を詰めるようにする。この作業を編み込み開始位置まで繰り返して、編み込み開始位置にベルベットリボン５２を貼り付ける。そして、紙管４３の両端からはみ出したラベンダーの茎５１を紙管４３の両端に沿って切り落とすことで、紙管４３の外面にカバー４２（図９参照）が形成される。ベルベットリボン５２が下から上に向かって交互となり、ラベンダーの茎５１が部分的に露出されて装飾性が高められている。
【００４４】
このとき、紙管４３を型材として、紙管４３の外面に沿ってベルベットリボン５２が編み込まれるため、筒状の曲面を有するカバー２であっても型崩れやテープの隙間が生じ難くなっている。また、ベルベットリボン５２に、香りが長続きするラベンダーの茎５１を編み込んだことで、ポプリケース４１の芳香性が高められている。
【００４５】
次に、図９に示すように、ポプリケース４１の筒内にポプリを詰めた香り袋５４を入れる。最後に仕上げリボン５５にチャーム５６を取り付けることで、図６に示すようなポプリケース４１が完成する。
【００４６】
以上のように、第２の実施の形態においても、第１の実施の形態と同様にベルベットリボン５２を編み込む際の絶妙な力加減が不要である。よって、ベルベットリボン５２の力加減によってポプリケース４１の形状が歪むことがなく、ベルベットリボン５２に隙間が生じ難くなり、作り手によって出来栄えが左右されることがない。また、紙管４３がそのままポプリケース４１の胴体になるため、胴体とは別に型材を設ける必要がない。よって、部材点数を最小限に抑えることができ、紙管４３がゴミになることもない。
【００４７】
なお、本発明は上記各実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００４８】
例えば、第１の実施の形態において、球形の型材を使用し、第２の実施の形態において、筒状の型材を使用する構成としたが、これらの構成に限定されない。型材は、ポプリや香り袋５４が入る中空形状であればよく、例えば、楕円形状、八面体形状、円錐状に形成されてもよい。また、型材の材質も特に限定されず、プラスチックや金属等で形成されてもよい。
【００４９】
また、第１の実施の形態において、リボンテープとしてベルベットリボン１２とレースリボン１３を用い、第２の実施の形態において、リボンテープとして２色のベルベットリボン５２を用いる構成としたが、この構成に限定されない。第１、第２の実施の形態において、３種類以上のリボンテープを用いてもよいし、１種類のリボンテープを用いてもよい。また、リボンテープの種類もベルベットリボンまたはレースリボンに限定されるわけではなく、様々な材質、質感、模様、及び色のリボンテープの使用が可能である。
【００５０】
また、第１の実施の形態において、２つの分割型材を組み合わせることで型材を形成する構成としたが、この構成に限定されない。３つ以上の分割型材を組み合わせて型材を形成してもよい。これにより、さらに複雑な形状のポプリケースを作ることができる。
【００５１】
また、第１、第２の実施の形態において、草花の茎としてラベンダーの茎１１、５１を例示して説明したが、この構成に限定されない。草花の茎は、特に限定されないが、芳香性を考慮してハーブ等の茎を用いることが好ましい。
【００５２】
また、第１、第２の実施の形態において、草花の茎にリボンテープを編み込むことでポプリケースのカバーを形成する構成としたが、この構成に限定されない。ポプリケースのカバーは、少なくともリボンテープを編み込むことで形成されていればよい。
【産業上の利用可能性】
【００５３】
以上説明したように、本発明は、作り手の技量によらずに美しく手軽に作り上げることができるという効果を有し、特に、球形や筒状のポプリケースに有用である。
【符号の説明】
【００５４】
１、４１  ポプリケース
２、４２  カバー
３  発泡スチロール球（型材）
１１、５１  ラベンダーの茎（草花の茎）
１２、５２  ベルベットリボン（リボンテープ）
１３  レースリボン（リボンテープ）
２１  半球材（分割型材）
３８  プレート（プレート部材）
４３  紙管（型材）
【図１】
2015030498.tif 000003
【図２】
2015030498.tif 000004
【図３】
2015030498.tif 000005
【図４】
2015030498.tif 000006
【図５】
2015030498.tif 000007
【図６】
2015030498.tif 000008
【図７】
2015030498.tif 000009
【図８】
2015030498.tif 000010
【図９】
2015030498.tif 000011